(57)【要約】【課題】ディスクトレイのオープン動作前にトレイ出入口の扉が開き、クローズ動作完了後に扉が閉じ、ディスクトレイと扉の摩擦による発粉等を防止できる光ディスク装置を提供する。【解決手段】カムスライダー６を左右いずれか一方向にスライドさせてドライブシャーシ４を下方に回動させるとき、扉１ｂのヒンジ部のアーム１ｃを背後から押して扉１ｂの上端がディスクトレイ５の下面よりも下方に位置する開き角度まで扉１ｂを前方に開く扉開閉手段として、前斜面６ｆを有するリブ片６ｅをカムスライダー６に設けた構成の光ディスク装置とする。ディスクトレイ５のオープン動作前、クローズ動作完了後に、カムスライダー６と共に移動するリブ片６ｅにより扉１ｂの開閉を行い、扉１ｂとディスクトレイ５を非接触にして発粉等を防止する。【選択図】図４
2008052853.tif 000002
【特許請求の範囲】
【請求項１】
光ピックアップとターンテーブルが搭載されたドライブシャーシを、その後端部で上下揺動可能にメインシャーシに取付け、このドライブシャーシを上下に揺動させるカムスライダーをメインシャーシの前縁部に左右スライド可能に取付けると共に、ターンテーブルとその上方のクランパーとの間にディスクトレイを配置して前後移動可能にメインシャーシに取付けることにより、光ディスク装置本体を構成し、この光ディスク装置本体を、筐体のフロントパネルに設けたトレイ出入口の背後に設置すると共に、常時閉方向に付勢された扉をトレイ出入口に開閉可能に取付けてなる光ディスク装置において、
前記カムスライダーの左右スライド方向に対して前後方向に傾斜する前斜面を備えたリブ片を扉開閉手段として前記カムスライダーに設け、前記カムスライダーを左右いずれか一方向にスライドさせて前記ドライブシャーシを下方に回動させるときに、前記リブ片の前斜面によって、前記扉のヒンジ部の丸みをつけた略コ字形のアームを背後から押し、前記扉の上端が前記ディスクトレイの下面よりも低い位置になる開き角度まで前記扉を前方に開くようにしたことを特徴とする光ディスク装置。
【請求項２】
光ピックアップとターンテーブルが搭載されたドライブシャーシを、その後端部で上下揺動可能にメインシャーシに取付け、このドライブシャーシを上下に揺動させるカムスライダーをメインシャーシの前縁部に左右スライド可能に取付けると共に、ターンテーブルとその上方のクランパーとの間にディスクトレイを配置して前後移動可能にメインシャーシに取付けることにより、光ディスク装置本体を構成し、この光ディスク装置本体を、筐体のフロントパネルに設けたトレイ出入口の背後に設置すると共に、常時閉方向に付勢された扉をトレイ出入口に開閉可能に取付けてなる光ディスク装置において、
前記カムスライダーを左右いずれか一方向にスライドさせて前記ドライブシャーシを下方に回動させるときに前記扉のヒンジ部を背後から押して前記扉を前方に開く扉開閉手段を、前記カムスライダーに設けたことを特徴とする光ディスク装置。
【請求項３】
前記扉開閉手段が、前記扉のヒンジ部を背後から押すことによって前記扉の上端が前記ディスクトレイの下面よりも低い位置になる開き角度まで前記扉を前方に開くものであることを特徴とする請求項２記載の光ディスク装置。
【請求項４】
前記扉開閉手段として、前記カムスライダーの左右スライド方向に対して前後方向に傾斜する前斜面を備えたリブ片を設けたことを特徴とする請求項２又は請求項３に記載の光ディスク装置。
【請求項５】
前記リブ片の前斜面を凹曲面としたことを特徴とする請求項４に記載の光ディスク装置。
【発明の詳細な説明】
【技術分野】
【０００１】
本発明は、ＤＶＤやＣＤなどの光ディスクに記録・再生を行う光ディスク装置に関し、更に詳しくは、トレイ出入口の扉の開閉手段をカムスライダーに設けることによって、ディスクトレイがオープン動作する前に扉が開き、クローズ動作が完了した後に扉が閉じるように改良した光ディスク装置に関する。
【背景技術】
【０００２】
従来の一般的な光ディスク装置は、光ピックアップとターンテーブルが搭載されたドライブシャーシをその後端部で上下揺動可能にメインシャーシに取付け、このドライブシャーシを上下に揺動させるカムスライダーをメインシャーシの前縁部に左右スライド可能に取付けると共に、ターンテーブルとその上方のクランパーとの間にディスクトレイを配置して前後移動可能にメインシャーシに取付けることにより、光ディスク装置本体を構成している。そして、この光ディスク装置本体を、筐体のフロントパネルに設けた扉付きのトレイ出入口の背後に設置している。
【０００３】
このような光ディスク装置にあっては、上記の扉が常時、閉方向に付勢されてトレイ出入口に取付けられており、ディスクトレイのオープン動作開始直後に上記の扉がディスクトレイによって背後から押し開かれ、ディスクトレイのクローズ動作終了直前に上記の扉がその付勢力で閉じるようになっている。
【０００４】
けれども、上記のようにディスクトレイによって扉を押し開く光ディスク装置は、ディスクトレイのオープン動作時及びクローズ動作時にディスクトレイの下面と扉の上端が摩擦するため、摩耗したり発粉するという問題がある。また、ディスクトレイには摩擦による負荷がかかるため、ディスクトレイのオープン動作やクローズ動作が不安定になるという問題もある。更に、トレイ出入口の扉が開くと同時にディスクトレイが出てきたり、ディスクトレイの挿入終了と同時に扉が閉まるような光ディスク装置は、ディスクトレイのオープン、クローズの動作と扉の開閉動作との間に時間的な余裕（タイムラグ）がないため、動作面でのゆったりとした高級質感を感じられないという問題もある。
【０００５】
一方、扉のヒンジ部に設けたピニオンをディスクトレイのラックと噛合させ、ディスクトレイがオープン動作すると、扉も開くようにした光ディスク装置が提案されている（特許文献１）。また、ドアの回転軸の回りに円弧状のリブを設け、このリブの外周面をパネル裏面に押圧することでドアを閉方向に付勢した開閉ドア機構も提案されている（特許文献２）。更に、ドアの裏面に、ディスクトレイに摺接可能な縦リブを一体に形成し、ドアの開閉動作をスムーズにしたディスクプレーヤも提案されている（特許文献３）。
【特許文献１】特開２００５−３０２１７５号公報
【特許文献２】特開２００６−５４０２３号公報
【特許文献３】特開２００３−５１１８１号公報
【発明の開示】
【発明が解決しようとする課題】
【０００６】
上記特許文献１の光ディスク装置は、扉のヒンジ部のピニオンとディスクトレイのラックとの噛合によって、扉の上端がディスクトレイの下面よりも低い位置になる開き角度まで扉を前方に開くことができるため、ディスクトレイの下面と扉の上端が摩擦して摩耗や発粉を生じることはなくなる。けれども、この光ディスク装置は、あくまでもディスクトレイの動作に伴って扉が開閉するものであるため、ディスクトレイのオープン動作前に扉を開いたり、クローズ動作終了後に扉を閉じたりすることは不可能であり、ディスクトレイのオープン、クローズの動作と扉の開閉動作との間に時間的な余裕をもたせて、動作面でのゆったりとした高級質感を与えることはできないという問題が依然として残っている。
【０００７】
また、上記特許文献２の開閉ドア機構や引用文献３のディスクプレーヤは、いずれも、ディスクトレイでドアを押し開くものであるため、前述した従来の一般的な光ディスク装置が有する問題点をそのまま残すものである。
【０００８】
本発明は、上記の問題に対処すべくなされたものであって、その解決しようとする一つの課題は、ディスクトレイのオープン動作の開始前に扉が開き、クローズ動作の終了後に扉が閉じるため、動作面でのゆったりとした高級質感を与えることができる光ディスク装置を提供することにある。
【０００９】
そして、本発明が解決しようとするもう一つの課題は、ディスクトレイと扉の摩擦による摩耗や発粉を防止し、ディスクトレイの動作を安定化させることができる光ディスク装置を提供することにある。
【課題を解決するための手段】
【００１０】
上記の課題を解決するため、本発明に係る光ディスク装置は、光ピックアップとターンテーブルが搭載されたドライブシャーシを、その後端部で上下揺動可能にメインシャーシに取付け、このドライブシャーシを上下に揺動させるカムスライダーをメインシャーシの前縁部に左右スライド可能に取付けると共に、ターンテーブルとその上方のクランパーとの間にディスクトレイを配置して前後移動可能にメインシャーシに取付けることにより、光ディスク装置本体を構成し、この光ディスク装置本体を、筐体のフロントパネルに設けたトレイ出入口の背後に設置すると共に、常時閉方向に付勢された扉をトレイ出入口に開閉可能に取付けてなる光ディスク装置において、前記カムスライダーを左右いずれか一方向にスライドさせて前記ドライブシャーシを下方に回動させるときに前記扉のヒンジ部を背後から押して前記扉を前方に開く扉開閉手段を、前記カムスライダーに設けたことを特徴とするものである。
【００１１】
本発明の光ディスク装置においては、前記扉開閉手段が、前記扉のヒンジ部を背後から押すことによって前記扉の上端が前記ディスクトレイの下面よりも低い位置になる開き角度まで前記扉を前方に開くものであることが好ましい。そして、前記扉開閉手段として、前記カムスライダーの左右スライド方向に対して前後方向に傾斜する前斜面を備えたリブ片を設けることが好ましく、特に、このリブ片の前斜面を凹曲面とすることが好ましい。
【００１２】
そして、更に望ましい本発明の光ディスク装置は、光ピックアップとターンテーブルが搭載されたドライブシャーシを、その後端部で上下揺動可能にメインシャーシに取付け、このドライブシャーシを上下に揺動させるカムスライダーをメインシャーシの前縁部に左右スライド可能に取付けると共に、ターンテーブルとその上方のクランパーとの間にディスクトレイを配置して前後移動可能にメインシャーシに取付けることにより、光ディスク装置本体を構成し、この光ディスク装置本体を、筐体のフロントパネルに設けたトレイ出入口の背後に設置すると共に、常時閉方向に付勢された扉をトレイ出入口に開閉可能に取付けてなる光ディスク装置において、前記カムスライダーの左右スライド方向に対して前後方向に傾斜する前斜面を備えたリブ片を扉開閉手段として前記カムスライダーに設け、前記カムスライダーを左右いずれか一方向にスライドさせて前記ドライブシャーシを下方に回動させるときに、前記リブ片の前斜面によって、前記扉のヒンジ部の丸みをつけた略コ字形のアームを背後から押し、前記扉の上端が前記ディスクトレイの下面よりも低い位置になる開き角度まで前記扉を前方に開くようにしたことを特徴とするものである。
【発明の効果】
【００１３】
本発明に係る光ディスク装置は、ディスクトレイに光ディスクを載せてターンテーブルとクランパーの間に送り込むと、カムスライダーが左右いずれかの方向（後述する実施形態では右方向）にスライドしてドライブシャーシが上方に回動し、光ディスクの中央開口縁がターンテーブルとクランパーによりチャックされて光ディスクが回転する。すると、光ピックアップがターンテーブルに接近する方向に移動しながらレーザービームを光ディスクに照射し、記録・再生が行われる。そして、光ディスクを取出す場合は、カムスライダーが上記と逆方向（後述する実施形態では左方向）にスライドしてドライブシャーシが下方に回動し、ターンテーブルとクランパーによる光ディスクのチャックが解除されて光ディスクはディスクトレイに載置され、筐体のフロントパネルに設けられた扉付きのトレイ出入口から取り出される。
【００１４】
その場合、本発明の光ディスク装置では、カムスライダーを左右いずれか一方向にスライドさせてドライブシャーシを下方に回動させるときにトレイ出入口の扉のヒンジ部を背後から押す扉開閉手段をカムスライダーに設けているため、ディスクトレイがオープン動作する前の段階においてカムスライダーが上記のようにスライドしてドライブシャーシを下方へ回動させると、扉のヒンジ部が扉開閉手段により背後から押されて扉が前方に開き、その後、光ディスクを載せたディスクトレイが扉の開いたトレイ出入口から出てくることになる。そして、光ディスクを載せたディスクトレイをトレイ出入口から送り込む場合は、ディスクトレイの送り込み（クローズ）動作が完了しても、扉はそのヒンジ部が扉開閉手段で押されて開いたままであり、その後、カムスライダーが逆方向にスライドしてドライブシャーシを上方に回動させると、扉開閉手段による扉のヒンジ部の押圧が解除され、扉はその付勢力によって閉じることになる。このように、本発明の光ディスク装置は、ディスクトレイのオープン動作の開始前に扉が開き、クローズ動作の終了後に扉が閉じるため、動作面でのゆったりとした高級質感を需要者に与えることができる。また、従来の光ディスク装置のように、扉を押し開く際の負荷がディスクトレイにかかることがないので、ディスクトレイのオープン動作が安定することになる。
【００１５】
特に、扉のヒンジ部を背後から押して扉の上端がディスクトレイの下面よりも低い位置になる開き角度まで扉を前方に開く扉開閉手段をカムスライダーに設けた光ディスク装置は、トレイ出入口から出てくるディスクトレイの下面と、開いた扉の上端との間に隙間が確保されて非接触状態となるため、扉の上端およびディスクトレイの下面の摩耗（削れ）や発粉を防止でき、また、摩擦による負荷がディスクトレイにかからないので、ディスクトレイのオープン動作やクローズ動作も安定することになる。
【００１６】
そして、扉開閉手段として、カムスライダーの左右スライド方向に対して前後方向に傾斜する前斜面を備えたリブ片をカムスライダーに設けた光ディスク装置は、リブ片の前斜面で生じる前方向の分力によって扉のヒンジ部を背後から確実に押すことができ、しかも、リブ片の前斜面の傾斜角度、左右の長さ寸法などを変更したり、前斜面に凹凸を付与することによって、扉の開き角度や開閉速度を簡単に調整することが可能となる。例えば、リブ片の前斜面を凹曲面としたものは、カムスライダーと共にリブ片が移動しながら最初に扉のヒンジ部を背後から押す前斜面の一端部の傾斜角度が小さいため、扉はゆっくりと開き始めるが、傾斜角度が大きい前斜面の反対側端部に近づくほど扉の開く速度が増し、リブ片の移動が停止したときに扉がディスクトレイと非接触になる上記の開き角度まで開いて停止することになる。このように、扉がゆっくりと開き初めて、開く速度が徐々に早くなり、所定の開き角度でピタリと停止すると、扉の動作面での高級質感を与えることができる。
【００１７】
また、更に望ましい光ディスク装置のように、扉のヒンジ部の丸みつけた略コ字形のアームをリブ片の前斜面で背後から押すようにしたものは、丸みをつけたアームがリブ片に引っ掛かることなく回動するため、扉の開閉動作が滑らかになる。
【発明を実施するための最良の形態】
【００１８】
以下、図面を参照して本発明の具体的な実施形態を詳述する。
【００１９】
図１は本発明の一実施形態に係る光ディスク装置の概略部分平面図であってトレイ出入口の扉が閉じた状態を示すものであり、図２は図１のＡ−Ａ線に沿った同光ディスク装置の断面図であり、図３は同光ディスク装置の概略部分平面図であってトレイ出入口の扉が開いた状態を示すものであり、図４は図３のＢ−Ｂ線に沿った同光ディスク装置の断面図である。また、図５は同光ディスク装置の要部拡大平面図であり、図６はリブ片の形状が異なる本発明の他の実施形態に係る光ディスク装置の要部拡大平面図であり、図７はリブ片の形状が異なる本発明の更に他の実施形態に係る光ディスク装置の要部拡大平面図である。
【００２０】
この光ディスク装置は、その筐体（不図示）のフロントパネル１に形成されたトレイ出入口１ａの背後に、光ディスク装置本体２を設置して筐体に内蔵したものであって、トレイ出入口１ａには扉１ｂが取付られている。この扉１ｂは、図２，図４に示すように、丸みをつけた略コ字形のアーム１ｃの先端に支軸１ｄを形成してなる左右一組のヒンジ部を、扉１ｂの裏面から突設したものであって、左右のヒンジ部の支軸１ｄをフロントパネル１の裏面に形成された左右一組の軸受部１ｅに嵌合させることで回動自在にトレイ出入口１ａに取付けられており、この扉１ｂは一方のヒンジ部の支軸１ｄに装着された捩りコイルバネ（不図示）によって常時閉方向に付勢されている。
【００２１】
トレイ出入口１ａの背後に設置される光ディスク装置本体２は、熱可塑性合成樹脂で射出成形されたメインシャーシ３の内側に、金属製のドライブシャーシ４をその後端両側部において取付ネジ４ａとゴムダンパー４ｂを用いて上下揺動可能に取付けたものであり、このドライブシャーシ４には、光ピックアップ４ｃ、スピンドルモーター４ｄ、ターンテーブル４ｅ、駆動モーター（不図示）、動力伝達歯車機構（不図示）などが搭載されている。
【００２２】
ターンテーブル４ｅは、スピンドルモーター４ｄの出力軸に固定されており、ドライブシャーシ４が上方に回動したときに、クランパー３ａとこのターンテーブル４ｅによって光ディスクをチャックして回転させるようになっている。このクランパー３ａは、メインシャーシ３の上部に横架されたブリッジ部３ｂの中央のクランパー保持部３ｃに回転自在に保持されている。そして、光ピックアップ４ｃは、そのラック４ｆに噛合するピニオン４ｇが回転すると、２本のガイド軸４ｈに沿ってターンテーブル４ｅに対して接近・離反方向に移動し、接近方向に移動するときにレーザービームを光ディスクに照射して、記録・再生を行うようになっている。
【００２３】
ディスクトレイ５は、図４に仮想線で示すように、ターンテーブル４ｅとクランパー３ａとの間に配置され、前後移動可能にメインシャーシ２の内側に取付けられている。また、このメインシャーシ３の前縁部には、カムスライダー６が左右スライド可能に取付けられており、ドライブシャーシ４の前端から突き出す長短２つの凸部４ｉ，４ｊがカムスライダー６のカム溝６ａ，６ｂに係合されている。そして、このカムスライダー６のラック６ｃには駆動用のピニオン６ｄが噛合している。従って、このピニオン６ｄが回転すると、カムスライダー６が左右方向にスライドし、そのカム溝６ａ，６ｂに沿ってドライブシャーシ前端の凸部４ｉ，４ｊが摺動しながら上下動するため、ドライブシャーシ４はその後端両側部の取付部分を支点として、上下に揺動するようになっている。
【００２４】
カムスライダー６の下端部前面には、扉開閉手段としてリブ片６ｅが前方に向かって一体に突設されている。このリブ片６ｅは、図５に拡大して示すように、カムスライダー６の左右スライド方向に対して前後方向に傾斜する前斜面６ｆを備えたもので、カムスライダー６と共に左右いずれか一方向（この実施形態では左方向）にスライドすると、その前斜面６ｆで生じる前方向の分力により前記扉１ｂの左側ヒンジ部のアーム１ｃを背後から押して、図３、図４に示すように、扉１ｂの上端がディスクトレイ５の下面よりも低い位置になる開き角度まで扉１ｂを前方に開くものである。
【００２５】
このようなリブ片６ｅは、前斜面６ｆの傾斜角度θ、左右の長さ寸法Ｌなどを変更したり、前斜面６ｆに凹凸を付与することによって、扉１ｂの開き角度や開閉速度を簡単に調整することが可能である。即ち、前斜面６ｆの傾斜角度を大きく設定すると共に、左右の長さ寸法Ｌ（換言すれば前後の奥行き寸法）を短く設定すれば、扉１ｂの開き速度が速くなると共に、開き角度が大きくなり、逆に、前斜面６ｆの傾斜角度θを小さく設定すると共に、左右の長さ寸法Ｌを長く設定すれば、扉１ｂの開き速度が遅くなると共に、開き角度が小さくなる。
【００２６】
また、リブ片６ｅの前斜面６ｆを、図６に示すような凹曲面に形成すると、既述したように、最初に扉１ｂのアーム１ｃを背後から押す前斜面６ｆの左端部の傾斜角度が小さいため、扉１ｂはゆっくりと開き始めるが、傾斜角度が大きい前斜面６ｆの右側端部に近づくほど扉１ｂの開く速度が増し、リブ片６ｅの移動が停止したときに扉１ｂがディスクトレイ５と非接触になる前記の開き角度まで開いて停止することになる。これに対し、リブ片６ｅの前斜面６ｆを、図７に示すような凸曲面に形成すると、最初に扉１ｂのアーム１ｃを背後から押す前斜面６ｆの左端部の傾斜角度が大きいため、扉１ｂは大きい開き速度で開き始めるが、傾斜角度が小さい前斜面６ｆの右側端部に近づくほど扉１ｂの開く速度が遅くなり、リブ片６ｅの移動が停止したときに扉１ｂがディスクトレイと非接触になる前記の開き角度まで開いてゆっくりと停止することになる。このように、扉がゆっくりと開き初め、徐々に開き速度が大きくなってぴたりと停止したり、逆に、扉がすばやく開き初め、徐々に開き速度が遅くなってゆっくり停止すると、従来のように扉をディスクトレイで押し開く場合に比べて、扉の動作面での高級質感を与えることができる。
【００２７】
以上のような構成の光ディスク装置は、ディスクトレイ５に光ディスクを載せてターンテーブル４ｅとクランパー３ａの間に送り込むと、カムスライダー６が右方向にスライドしてドライブシャーシ４が上方に回動し、光ディスクの中央開口縁がターンテーブル４ｅとクランパー３ａによりチャックされて光ディスクが回転する。すると、光ピックアップ４ｃがターンテーブル４ｅに接近する方向に移動しながらレーザービームを光ディスクに照射し、記録・再生が行われる。そして、光ディスクを取出すときは、カムスライダー６が左方向にスライドしてドライブシャーシ４が下方に回動し、ターンテーブル４ｅとクランパー３ａによる光ディスクのチャックが解除されて光ディスクはディスクトレイ５に載置され、筐体のフロントパネル１に設けられた扉１ｂ付きのトレイ出入口１ａから取り出される。
【００２８】
その場合、この光ディスク装置では、カムスライダー６を左方向にスライドさせてドライブシャーシ４を下方に回動させるときにトレイ出入口１ａの扉１ｂのヒンジ部のアーム１ｃを背後から押すリブ片６ｅをカムスライダー６に設けているため、ディスクトレイ５がオープン動作する前の段階において、カムスライダー６が図３示すように左方向にスライドして図４に示すようにドライブシャーシ４を下方へ回動させると、扉１ｂのアーム１ｃがリブ片６ｅの前斜面６ｆにより背後から押されて、扉１ｂの上端がディスクトレイ５の下面よりも低い位置となる開き角度まで、扉が大きく前方に開き、その後、光ディスクを載せたディスクトレイ５が扉１ｂの開いたトレイ出入口１ａから出てくることになる。一方、光ディスクを載せたディスクトレイ５をトレイ出入口１ａから送り込む場合は、ディスクトレイ５の送り込み動作が完了しても、図４に示すように、扉１ｂはそのヒンジ部のアーム１ｃがリブ片６ｅの前斜面６ｆで背後から押されて開いたままであり、その後、図１，図２に示すように、カムスライダー６が右方向にスライドしてドライブシャーシ４を上方に回動させると、リブ片６ｅの前斜面６ｆによる扉１ｂのアーム１ｃの押圧が解除され、扉１ｂは捩りコイルバネの付勢力によって閉じることになる。このように、この光ディスク装置は、ディスクトレイ５のオープン動作の開始前に扉１ｂが開き、クローズ動作の終了後に扉１ｂが閉じるため、動作面でのゆったりとした高級質感を需要者に与えることができ、また、従来の光ディスク装置のように、扉１ｂを押し開く際の負荷がディスクトレイ５に直接かかることがないので、ディスクトレイ５のオープン動作が安定することになる。しかも、トレイ出入口１ａから出てくるディスクトレイ５の下面と、開いた扉１ｂの上端との間には一定の隙間Ｇが確保されて非接触の状態となるため、扉１ｂの上端とディスクトレイ５の下面の摩耗（削れ）や発粉を防止することができ、さらに、摩擦による負荷がディスクトレイ５にかからないので、ディスクトレイ５のオープン動作やクローズ動作も安定することになる。
【図面の簡単な説明】
【００２９】
【図１】本発明の一実施形態に係る光ディスク装置の概略部分平面図であって、トレイ出入口の扉が閉じた状態を示すものである。
【図２】図１のＡ−Ａ線に沿った同光ディスク装置の断面図である。
【図３】同光ディスク装置の概略部分平面図であって、トレイ出入口の扉が開いた状態を示すものである。
【図４】図３のＢ−Ｂ線に沿った同光ディスク装置の断面図である。
【図５】同光ディスク装置の要部拡大平面図である。
【図６】リブ片の形状が異なる本発明の他の実施形態に係る光ディスク装置の要部拡大平面図である。
【図７】リブ片の形状が異なる本発明の更に他の実施形態に係る光ディスク装置の要部拡大平面図である。
【符号の説明】
【００３０】
１    筐体のフロントパネル
１ａ  トレイ出入口
１ｂ  扉
１ｃ  ヒンジ部のアーム
２    光ディスク装置本体
３    メインシャーシ
３ａ  クランパー
４    ドライブシャーシ
４ｃ  光ピックアップ
４ｅ  ターンテーブル
５    ディスクトレイ
６    カムスライダー
６ｅ  リブ片（扉開閉手段）
６ｆ  リブ片の前斜面
【図１】
2008052853.tif 000003
【図２】
2008052853.tif 000004
【図３】
2008052853.tif 000005
【図４】
2008052853.tif 000006
【図５】
2008052853.tif 000007
【図６】
2008052853.tif 000008
【図７】
2008052853.tif 000009